(57)【特許請求の範囲】
【請求項１】
少なくとも一部がヨークとマグネットの間に配置された環状のコイルボビンと、
前記コイルボビンに巻き付けられ駆動電流が供給されて前記コイルボビンとともに変動されるコイルと、
一端部が前記コイルボビンの変動方向における一端部に結合されると共に電流が供給されて伸縮され前記変動方向と同じ方向へ変動される圧電素子と、
内周部が前記圧電素子の他端部に結合された振動板とを備え、
前記振動板の前記圧電素子に対する結合部分と前記圧電素子の前記コイルボビンに対する結合部分とが前記変動方向において一直線上に位置され、
前記圧電素子が前記コイルボビンの周方向における一部に結合され、  
前記圧電素子が複数設けられ、
前記複数の圧電素子が前記コイルボビンの周方向において等間隔に離隔して配置された
スピーカー装置。
【請求項２】
前記圧電素子として前記変動方向において積層された積層型の圧電素子が用いられた
請求項１に記載のスピーカー装置。
【請求項３】
前記コイルに前記駆動電流が供給されたときの前記振動板の初動時間と前記圧電素子に電流が供給されたときの前記振動板の初動時間とが略一致されるように時間補正が行われる
請求項１又は請求項２に記載のスピーカー装置。
【請求項４】
前記コイルに前記駆動電流が供給されたときの前記振動板における位相と前記圧電素子に前記電流が供給されたときの前記振動板における位相とが同じになるように位相補正が行われる
請求項１、請求項２又は請求項３に記載のスピーカー装置。
【請求項５】
前記圧電素子としてｄ３３型の圧電素子が用いられた
請求項１、請求項２、請求項３又は請求項４に記載のスピーカー装置。
【発明の詳細な説明】
【技術分野】
【０００１】
本技術は振動板を振動させる駆動部に磁気回路と圧電素子が設けられたスピーカー装置についての技術分野に関する。
【先行技術文献】
【特許文献】
【０００２】
【特許文献１】実用新案公報Ｈ１−１７９１７号
【背景技術】
【０００３】
アンプによって増幅された音声を出力するスピーカー装置がある。このようなスピーカー装置には、例えば、マグネットとヨークとコイルによって構成された磁気回路により振動板が振動されると共に圧電素子が伸縮されることにより振動板が振動されるように構成されたものがある（例えば、特許文献１参照）。【０００４】
特許文献１に記載されたスピーカー装置にあっては、ヨークが環状のマグネットの中心部を貫通する状態で配置され、マグネットとヨークの間に筒状のコイルボビンが配置されている。コイルボビンの外周面にはコイルが巻き付けられ、コイルはヨークとマグネットの間に形成された磁気ギャップに配置されている。圧電素子は円板状に形成されコイルボビンの変動方向である軸方向における一端部に結合されている。振動板は圧電素子の中心部に結合されている。【０００５】
特許文献１に記載されたスピーカー装置においては、アンプから出力された音声信号に基づいてコイルに駆動電流が供給されてコイルがコイルボビンと一体になって変動され、コイルボビンの変動に伴って振動板が振動される。また、同時に、圧電素子にもアンプから出力された音声信号に基づいて電流が供給され、圧電素子が伸縮されて変動され圧電素子の変動に伴っても振動板が振動される。従って、振動板はコイルボビンと圧電素子の双方の変動に伴って振動され、振動板の振動に応じた音声の出力が行われる。【０００６】
このような磁気回路と圧電素子が振動板を振動させる駆動部として用いられたスピーカー装置においては、磁気回路を用いたダイナミック駆動による大振幅と圧電素子を用いた大きな駆動力とを得ることが可能になり、良好な音声の出力状態を確保することが可能である。
【発明の概要】
【発明が解決しようとする課題】
【０００７】
上記のような磁気回路と圧電素子が用いられた２種類の駆動部を有するスピーカー装置においては、振動板が圧電素子を介してコイルボビンに連結されており、磁気回路によって発生する駆動力がコイルボビンから圧電素子を介して振動板に伝達される。【０００８】
従って、圧電素子の存在が磁気回路によって発生する駆動力の振動板への伝達の妨げになってしまうと、スピーカー装置において大振幅を得られず良好な音声が出力されなくなるおそれがあるため、磁気回路によって発生する駆動力が圧電素子を介して振動板に対してロスなく伝達されることが望まれる。【０００９】
また、スピーカー装置においては、単峰特性になることなく広帯域における音声の出力が行われることも望まれる。【００１０】
そこで、本技術スピーカー装置は、上記した問題点を克服し、振動板に対する駆動ロスを低減した上で広帯域における音声の良好な出力状態を確保することを課題とする。
【課題を解決するための手段】
【００１１】
第１に、本技術に係るスピーカー装置は、少なくとも一部がヨークとマグネットの間に配置された環状のコイルボビンと、前記コイルボビンに巻き付けられ駆動電流が供給されて前記コイルボビンとともに変動されるコイルと、一端部が前記コイルボビンの変動方向における一端部に結合されると共に電流が供給されて伸縮され前記変動方向と同じ方向へ変動される圧電素子と、内周部が前記圧電素子の他端部に結合された振動板とを備え、前記振動板の前記圧電素子に対する結合部分と前記圧電素子の前記コイルボビンに対する結合部分とが前記変動方向において一直線上に位置され、前記圧電素子が前記コイルボビンの周方向における一部に結合され、前記圧電素子が複数設けられ、前記複数の圧電素子が前記コイルボビンの周方向において等間隔に離隔して配置されたものである。
【００１２】
これにより、磁気回路によって発生する駆動力が一直線上に位置された２箇所の結合部分を介して振動板に伝達される。【００１４】
これにより、スピーカー装置における駆動部の重量が過度に大きくならない。【００１６】
これにより、圧電素子のコイルボビンに対する位置における良好なバランスが確保される。【００１９】
第２に、上記したスピーカー装置においては、前記圧電素子として前記変動方向において積層された積層型の圧電素子が用いられることが望ましい。
【００２０】
これにより、低電圧でも圧電素子の変動量が大きくなる。【００２１】
第３に、上記したスピーカー装置においては、前記コイルに前記駆動電流が供給されたときの前記振動板の初動時間と前記圧電素子に電流が供給されたときの前記振動板の初動時間とが略一致されるように時間補正が行われることが望ましい。
【００２２】
これにより、コイルに駆動電流が供給されたときの振動板の初動時間と圧電素子に電流が供給されたときの振動板の初動時間とのずれが解消される。【００２３】
第４に、上記したスピーカー装置においては、前記コイルに前記駆動電流が供給されたときの前記振動板における位相と前記圧電素子に前記電流が供給されたときの前記振動板における位相とが同じになるように位相補正が行われることが望ましい。
【００２４】
これにより、コイルに駆動電流が供給されたときの振動板における位相と圧電素子に電流が供給されたときの振動板における位相とのずれが解消される。【００２５】
第５に、上記したスピーカー装置においては、前記圧電素子としてｄ３３型の圧電素子が用いられることが望ましい。
【００２６】
これにより、変動方向において圧電素子の大きな駆動力が得られる。
【発明の効果】
【００２７】
本技術によれば、磁気回路によって発生する駆動力が一直線上に位置された２箇所の結合部分を介して振動板に伝達されるため、振動板に対する駆動ロスを低減した上で広帯域における音声の良好な出力状態を確保することができる。【００２８】
尚、本明細書に記載された効果はあくまでも例示であって限定されるものではなく、他の効果があってもよい。
【図面の簡単な説明】
【００２９】
【図１】図２乃至図９と共に本技術スピーカー装置の実施の形態を示すものであり、本図は、スピーカー装置の拡大断面図である。
【図２】コイル駆動部と圧電駆動部ごとに駆動を行ったときのインパルス応答特性を示すグラフ図である。
【図３】コイル駆動部と圧電駆動部ごとの位相特性を示すグラフ図である。
【図４】補正制御装置が設けられた回路の一例を示すブロック図である。
【図５】補正制御装置が設けられた回路の別の例を示すブロック図である。
【図６】時間補正及び位相補正を行う前と行った後の特性を示すものであり、インパルス応答特性を示すグラフ図である。
【図７】時間補正及び位相補正を行う前と行った後の特性を示すものであり、周波数応答特性を示すグラフ図である。
【図８】コイル駆動部のみが設けられた従来のスピーカー装置と本技術に係るスピーカー装置とについての高帯域における周波数応答特性を示すグラフ図である。
【図９】変形例に係る圧電素子が用いられたスピーカー装置を示す拡大断面図である。
【発明を実施するための形態】
【００３０】
以下に、本技術スピーカー装置を実施するための形態を添付図面に従って説明する。
【００３１】
以下の説明においては、スピーカー装置が向く方向を前方として上下前後左右の方向を示す。
【００３２】
尚、以下に示す上下前後左右の方向は、説明の便宜上示すものであり、本技術はこれらの方向に限定して適用されることはない。
【００３３】
＜スピーカー装置の構成＞
スピーカー装置１はフレーム２とフレーム２に取り付けられた各部とを有する（図１参照）。
【００３４】
フレーム２は前後方向を向く円環状に形成された底面部３と底面部３の外周部に連続された周面部４と周面部４の前端部から外方に張り出されたフランジ状の取付部５とを有している。底面部３の中心孔は挿通孔３ａとして形成されている。周面部４は前方へ行くに従って外方へ変位するように傾斜されている。
【００３５】
周面部４の外面又は取付部５には図示しないターミナルが取り付けられている。ターミナルは図示しないアンプとの接続が行われる端子部として設けられている。
【００３６】
底面部３の後面には円環状のマグネット６が取り付けられている。マグネット６は中心孔６ａが底面部３の挿通孔３ａより小さくされ、中心孔６ａと挿通孔３ａの中心軸が一致されている。
【００３７】
マグネット６の後面にはヨーク７が取り付けられている。ヨーク７は本体ヨーク８と連結ヨーク９によって構成されている。
【００３８】
本体ヨーク８は前後方向を向く円板状のベース面部１０とベース面部１０の中心部から前方に突出された丸軸状の挿通突部１１とが一体に形成されて成る。本体ヨーク８は挿通突部１１の前端部がマグネット６の中心孔６ａを挿通されている。従って、マグネット６の内周面と挿通突部１１の外周面との間に空間が形成され、この空間が磁気ギャップとして形成される。
【００３９】
連結ヨーク９は円環状に形成され、厚みが挿通突部１１の軸方向における長さより稍小さくされている。連結ヨーク９は、後面がベース面部１０の前面における外周側の部分に取り付けられ、前面がマグネット６の後面における外周側の部分に取り付けられている。
【００４０】
磁気ギャップには円筒状のコイルボビン１２の一部が配置されている。コイルボビン１２は挿通突部１１に対して軸方向（前後方向）へ変動可能（移動可能）とされている。
【００４１】
コイルボビン１２の外周面にはコイル１３が巻き付けられている。コイル１３は両側の端部が、巻き付けられた部分から導出されてターミナルに接続されている。コイル１３は一部が磁気ギャップに配置されている。
【００４２】
コイル１３が磁気ギャップに配置されることにより、コイル１３とマグネット６とヨーク７によって磁気回路が構成される。
【００４３】
尚、スピーカー装置１にはコイルボビン１２の軸方向における過度の変動を抑制するダンパーが設けられていてもよい。
【００４４】
コイルボビン１２の前端部には、例えば、三つの圧電素子１４、１４、１４の後端部が結合されている。圧電素子１４、１４、１４は、例えば、コイルボビン１２の周方向において等間隔に離隔して配置されている（図１には理解を容易にするために実際とは異なる位置関係で圧電素子１４、１４、１４を示している。）。尚、圧電素子１４の数は任意であり、圧電素子１４は少なくとも一つが設けられていればよい。但し、複数の圧電素子１４、１４、・・・が設けられる場合には、圧電素子１４、１４、・・・が周方向において等間隔に離隔して配置されることが望ましい。
【００４５】
圧電素子１４は、例えば、前後に延びる形状に形成され、前後方向において積層された積層型の圧電素子である。圧電素子１４は単層であってもよいが、変位量（駆動力）を大きくするために積層型を用いることが望ましい。
【００４６】
圧電素子１４として変動方向（前後方向）において積層された積層型が用いられることにより、低電圧でも圧電素子１４の変動量が大きくなり、特に、高域特性の改善を図ることができる。
【００４７】
圧電素子１４としてはｄ３３型が用いられている。圧電素子１４としてｄ３３型が用いられることにより、変動方向（前後方向）において大きな駆動力が得られ、音質の向上を図ることができる。
【００４８】
また、圧電素子１４として用いられたｄ３３型は単層において厚みに拘わらず変位量が同じであると言う特性を有しているため、厚みを薄く形成して積層することにより、小型化を確保した上で大きな駆動力を確保することができる。但し、厚みを薄くすると耐電圧が低下するため、駆動力と耐電圧を考慮して圧電素子１４の厚みを設定することが望ましい。
【００４９】
さらに、ｄ３３型はｄ３１型と比較して発生応力が大きく単峰特性にもなり難いため、圧電素子１４としてｄ３３型を用いることにより必要な音圧を確保して広域特性の向上を図ることができる。
【００５０】
さらにまた、圧電素子１４は単層の形状が矩形状や円形状等の簡素な形状に形成されていればよいため、製造が容易であり、製造コストの低減を図ることができる。
【００５１】
圧電素子１４、１４、１４には図示しない電線が接続され、電線はターミナルに接続されている。圧電素子１４、１４、１４には電線を介して電流が供給される。
【００５２】
フレーム２の取付部５には振動板１５の外周部が取り付けられている。振動板１５の内周部には圧電素子１４、１４、１４の前端部が周方向に等間隔に離隔した状態で結合されている。従って、振動板１５の圧電素子１４、１４、１４に対する各結合部分と圧電素子１４、１４、１４のコイルボビン１２に対する各結合部分とは変動方向においてそれぞれ一直線上に位置されている。
【００５３】
振動板１５はコイルボビン１２の前後方向における変動及び圧電素子１４、１４、１４の前後方向における変動に伴って前端部を支点とするように振動される。
【００５４】
振動板１５は磁気回路の駆動によるコイルボビン１２の変動に伴って振動されると共に圧電素子１４、１４、１４の伸縮に伴う変動に伴って振動される。従って、圧電素子１４、１４、１４は磁気回路の一部として機能すると共に振動板１５を振動させる駆動部として機能する。
【００５５】
振動板１５の内周部にはドーム状のキャップ１６が取り付けられている。
【００５６】
＜スピーカー装置の動作＞
上記のように構成されたスピーカー装置１において、コイル１３に駆動電流が供給されると、磁気回路において推力が発生してコイルボビン１２が前後方向（軸方向）へ変動され、コイルボビン１２の駆動力（駆動エネルギー）が圧電素子１４、１４、１４を介して振動板１５に伝達されコイルボビン１２の変動に伴って振動板１５が振動する。このとき同時に圧電素子１４、１４、１４に電流が供給され、圧電素子１４、１４、１４がそれぞれ伸縮されて前後方向へ変動され圧電素子１４、１４、１４の変動に伴っても振動板１５が振動する。振動板１５が振動するとアンプによって増幅された音声の出力が行われる。
【００５７】
スピーカー装置１にあっては、上記したように、圧電素子１４、１４、１４がコイルボビン１２の周方向における各一部に結合されているため、スピーカー装置１における駆動部の重量が過度に大きくならず、過渡特性が向上すると共に広帯域再生を確保することができ、良好な音質及び音圧を確保することができる。
【００５８】
また、圧電素子１４、１４、１４がコイルボビン１２の周方向において等間隔に離隔して配置されている。従って、圧電素子１４、１４、１４のコイルボビン１２に対する位置における良好なバランスが確保され、コイルボビン１２から圧電素子１４、１４、１４を介しての振動板１５への駆動力（駆動エネルギー）の伝達と圧電素子１４、１４、１４からの振動板１５への駆動力（駆動エネルギー）の伝達とが安定した状態で行われ、駆動ロスの低減を図ることができる。
【００５９】
＜スピーカー装置の動作時における制御＞
以下に、スピーカー装置１の動作時における制御について説明する（図２乃至図７参照）。
【００６０】
先ず、スピーカー装置１において行われる制御に関する測定結果について説明する。
【００６１】
図２は、スピーカー装置１において各駆動部ごとに駆動を行ったときのインパルス応答特性を示す結果である。具体的には、コイル１３に駆動電流を供給して駆動部（コイル駆動部）を動作させたときの状態と圧電素子１４、１４、１４に電流を供給して駆動部（圧電駆動部）を動作させたときの状態とを比較して示す結果である。コイル１３に対して供給される駆動電流と圧電素子１４、１４、１４に対して供給される電流は、同一の入力信号に基づく電流である。
【００６２】
図２において、横軸は時間を示し、縦軸はゲイン（音圧）を示す。実線はコイル駆動部の駆動時における状態を示し、点線は圧電駆動部の駆動時における状態を示す。
【００６３】
図２に示すように、コイル駆動部と圧電駆動部をそれぞれ駆動させたときの動作においては、振動板１５の初動時間に差異が生じ、コイル駆動部の駆動時における動作が圧電駆動部の駆動時における動作に対してＴ時間遅延する結果が得られた。
【００６４】
図３は、スピーカー装置１における各駆動部ごとの振動板１５における位相特性を示すものである。具体的には、クロス周波数を７ＫＨｚとして、コイル駆動部と圧電駆動部のそれぞれについて加速度と位相を測定した結果である。
【００６５】
図３において、横軸は周波数を示し、縦軸は加速度又は位相を示す。上段の二つのグラフはコイル駆動部の加速度と位相を示し、下段の二つのグラフは圧電駆動部の加速度と位相を示す。
【００６６】
図３に示すように、コイル駆動部と圧電駆動部においては、振動板１５における位相が反転する結果が得られた。
【００６７】
以上のようなＴ時間の遅延及び位相の反転と言う結果に基づいて、スピーカー装置１においては、以下のような時間補正と位相反転の制御が行われている。
【００６８】
これらの制御は、例えば、補正制御装置３０によって行われる（図４参照）。補正制御装置３０はＤＳＰ（Digital Signal Processor）等の演算処理装置であり、入力された信号に対してコイル駆動部の動作時間をＴ時間遅延させると共に圧電駆動部の位相を１８０°反転させる制御を実行する。
【００６９】
入力信号Ｐはコイル１３に信号を送出するアンプ３１と圧電素子１４、１４、１４に信号を送出するアンプ３２とに入力され、アンプ３２への入力は補正制御装置３０によって動作時間と位相が補正処理された状態で行われる。従って、圧電素子１４、１４、１４に対しては補正制御装置３０によって補正された信号がアンプ３２から入力される。
【００７０】
尚、スピーカー装置１においては、図５に示すように、アンプ３１に対しての入力回路にＬＰＦ（ローパスフィルター）回路３３を組み込んで低い周波数成分を取り出すと共に高い周波数成分を抑制し、アンプ３２に対しての入力回路にＨＰＦ（ハイパスフィルター）回路３４を組み込んで高い周波数成分を取り出して低い周波数成分を抑制するように構成されていてもよい。
【００７１】
図６及び図７は、上記した時間補正及び位相補正を行う前と行った後の特性を示す結果であり、図６はインパルス応答特性を示し、図７は周波数応答特性を示すものである。
【００７２】
図６において、横軸は時間を示し、縦軸はゲイン（音圧）を示す。図７において、横軸は周波数を示し、縦軸はゲイン（音圧）を示す。図６及び図７において、実線は補正後の状態を示し、点線は補正前の状態を示す。
【００７３】
図６に示すように、時間補正及び位相補正を行った状態においては、特に、ピーク時においてゲインが高くなり良好な音圧が得られている。また、図７に示すように、時間補正及び位相補正を行った状態においては、特に、高い周波数領域においてゲインが高くなり良好な音圧が得られている。
【００７４】
上記のように、スピーカー装置１にあっては、コイル１３に駆動電流が供給されたときの振動板１５の初動時間と圧電素子１４、１４、１４に電流が供給されたときの振動板１５の初動時間とが略一致されるように時間補正が行われている。
【００７５】
従って、コイル駆動部と圧電駆動部の各動作時における応答特性における時間のずれが解消され、良好な音質を確保することができる。
【００７６】
また、コイル駆動部と圧電駆動部に関する時間補正を行うことにより、コイル駆動部と圧電駆動部が一つの駆動部として動作され、出力される音声の質の向上を図ることができる。
【００７７】
さらに、コイル１３に駆動電流が供給されたときの振動板１５における位相と圧電素子１４、１４、１４に電流が供給されたときの振動板１５における位相とが同じになるように位相補正が行われている。
【００７８】
従って、コイル駆動部と圧電駆動部にそれぞれ駆動電流が供給されたときの振動板１５における位相のずれが解消され、一層良好な音質を確保することができる。
【００７９】
＜まとめ＞
図８は、コイル駆動部のみが設けられた従来のスピーカー装置と本技術に係るスピーカー装置１とについての高帯域における周波数応答特性を示す結果である。尚、従来のスピーカー装置はスピーカー装置１と比較して、圧電素子１４、１４、１４以外の構成がスピーカー装置１と同様であり、スピーカー装置１と同一の部材や材料によって形成されている。
【００８０】
図８において、横軸は周波数を示し、縦軸はゲイン（音圧）を示す。実線はスピーカー装置１の状態を示し、点線は従来のスピーカー装置の状態を示す。
【００８１】
図８に示すように、スピーカー装置１は従来のスピーカー装置と比較して、高帯域におけるゲインが高くなり良好な音圧が得られていると共に再生帯域も広域において良好なゲインが得られている。
【００８２】
以上に記載した通り、スピーカー装置１にあっては、一端部（後端部）がコイルボビン１２の変動方向（前後方向）における一端部（前端部）に結合されコイルボビン１２の変動方向と同じ方向へ変動される圧電素子１４、１４、１４と、内周部が圧電素子１４、１４、１４の他端部（前端部）に結合された振動板１５とを備え、振動板１５の圧電素子１４、１４、１４に対する結合部分と圧電素子１４、１４、１４のコイルボビン１２に対する結合部分とが変動方向において一直線上に位置されている。
【００８３】
従って、磁気回路によって発生する駆動力が一直線上に位置された２箇所の結合部分を介して振動板１５に伝達されるため、振動板１５に対する駆動ロスを低減した上で広帯域における音声の良好な出力状態を確保することができる。
【００８４】
また、圧電素子１４、１４、１４の結合部分が振動板１５の中心部より外側の位置にされており、周波数応答特性が単峰特性になり易い構成である圧電素子が振動板の中心部と結合される構成にはされていないため、広帯域において音声の良好な出力状態を確保することができる。
【００８５】
さらに、駆動力が大きく応答性が速いｄ３３型の圧電素子１４、１４、１４が駆動部として用いられているため、駆動部としてコイルボビン１２のみを用いる場合に比し、過渡応答特性を改善することが可能である。
【００８６】
＜圧電素子の変形例＞
上記には、前後方向（変動方向）に延び周方向に離隔して配置された圧電素子１４、１４、１４を例として示したが、スピーカー装置１においては、圧電素子１４、１４、１４に代えて環状、例えば、円環状の圧電素子１４Ａが用いられていてもよい（図９参照）。
【００８７】
圧電素子１４は、例えば、単層に形成されている。但し、圧電素子１４Ａにおいても圧電素子１４と同様に前後方向において積層された積層型が用いられていてもよい。
【００８８】
圧電素子１４Ａは、一端部である後面がコイルボビン１２の前端部における全周に結合され、他端部である前面が振動板１５の内周部における全周に結合されている。従って、振動板１５の圧電素子１４Ａに対する結合部分と圧電素子１４Ａのコイルボビン１２に対する結合部分とは変動方向において一直線上に位置されている。
【００８９】
圧電素子１４Ａとしても圧電素子１４と同様にｄ３３型が用いられている。
【００９０】
上記のように、環状に形成された圧電素子１４Ａがコイルボビン１２の周方向における全体に結合される構成にすることにより、圧電素子１４Ａのコイルボビン１２及び振動板１５に対する位置における良好なバランスが確保される。従って、コイルボビン１２から圧電素子１４Ａを介しての振動板１５への駆動力（駆動エネルギー）の伝達と圧電素子１４Ａからの振動板１５への駆動力（駆動エネルギー）の伝達とが安定した状態で行われ、駆動ロスの低減を図ることができる。
【００９１】
また、コイルボビン１２の全周と振動板１５の全周とに結合された圧電素子１４Ａが用いられることにより、音声が出力される周波数領域の全域において振動板１５の安定した振動状態を確保することができる。
【００９２】
＜その他＞
上記には、前側から順に振動板１５と圧電素子１４、１４Ａとコイルボビン１２が位置された例を示したが、振動板１５と圧電素子１４、１４Ａとコイルボビン１２の位置関係は、例えば、前側から順に振動板１５とコイルボビン１２と圧電素子１４、１４Ａが位置される構成であってもよい。
【００９３】
＜本技術＞
本技術は、以下のような構成にすることができる。
【００９４】
（１）
少なくとも一部がヨークとマグネットの間に配置された環状のコイルボビンと、
前記コイルボビンに巻き付けられ駆動電流が供給されて前記コイルボビンとともに変動されるコイルと、
一端部が前記コイルボビンの変動方向における一端部に結合されると共に電流が供給されて伸縮され前記変動方向と同じ方向へ変動される圧電素子と、
内周部が前記圧電素子の他端部に結合された振動板とを備え、
前記振動板の前記圧電素子に対する結合部分と前記圧電素子の前記コイルボビンに対する結合部分とが前記変動方向において一直線上に位置された
スピーカー装置。
【００９５】
（２）
前記圧電素子が前記コイルボビンの周方向における一部に結合された
前記（１）に記載のスピーカー装置。
【００９６】
（３）
前記圧電素子が複数設けられ、
前記複数の圧電素子が前記コイルボビンの周方向において等間隔に離隔して配置された
前記（２）に記載のスピーカー装置。
【００９７】
（４）
前記圧電素子が環状に形成され、
前記圧電素子が前記コイルボビンの周方向における全体と前記振動板の周方向における全体とに結合された
前記（１）から前記（３）の何れかに記載のスピーカー装置。
【００９８】
（５）
前記圧電素子として前記変動方向において積層された積層型の圧電素子が用いられた
前記（１）から前記（４）の何れかに記載のスピーカー装置。
【００９９】
（６）
前記コイルに前記駆動電流が供給されたときの前記振動板の初動時間と前記圧電素子に電流が供給されたときの前記振動板の初動時間とが略一致されるように時間補正が行われる
前記（１）から前記（５）の何れかに記載のスピーカー装置。
【０１００】
（７）
前記コイルに前記駆動電流が供給されたときの前記振動板における位相と前記圧電素子に前記電流が供給されたときの前記振動板における位相とが同じになるように位相補正が行われる
前記（１）から前記（６）の何れかに記載のスピーカー装置。
【０１０１】
（８）
前記圧電素子としてｄ３３型の圧電素子が用いられた
前記（１）から前記（７）の何れかに記載のスピーカー装置。
【符号の説明】
【０１０２】
１…スピーカー装置、６…マグネット、７…ヨーク、１２…コイルボビン、１３…コイル、１４…圧電素子、１５…振動板、１４Ａ…圧電素子
【図１】
0006614158.tif 000002
【図２】
0006614158.tif 000003
【図３】
0006614158.tif 000004
【図４】
0006614158.tif 000005
【図５】
0006614158.tif 000006
【図６】
0006614158.tif 000007
【図７】
0006614158.tif 000008
【図８】
0006614158.tif 000009
【図９】
0006614158.tif 000010